(57)【要約】【課題】  安価でソケットの取付作業を迅速容易に行うこと。【解決手段】  ソケット１５の分岐部１５Ｂが薄肉円筒状で弾性変位可能に形成され、ランプリフレクタ１１の両側板１１ｂの各端面が位置決めポイントＰとされ、各ソケット本体１５Ａの両側面外端縁に位置決め突条２３が一体突設されており、各ソケット１５の略Ｌ字状貫通路１６を各リード線１４に外嵌させた状態で、該各リード線１４の端部を直管状光源１３の両端部に半田付けし、各ソケット１５を各リード線１４に沿って滑らすことにより、その各ソケット１５を各リード線１４の端部から直管状光源１３の端部にかけて被せ、各ソケット本体１５Ａをランプリフレクタ１１内に差し込んで位置決め突条２３を位置決めポイントＰに当接させることにより、直管状光源１３をランプリフレクタ１１内の所定位置に位置決めするようにした。【選択図】        図１
2006147435.tif 000002
【特許請求の範囲】
【請求項１】
液晶モジュールのベゼル内に配置されて導光板を介して液晶セルをバックから照らすた
めのものであって、底板及び該底板から直角に折り曲げた一対の側板を有しその底板の両
端に切欠口を形成した横断面略コ字状ランプリフレクタと、該ランプリフレクタ内に配置
される直管状光源と、該直管状光源に半田付けされる一対のリード線と、ランプリフレク
タの両側板間の間隔とほぼ同幅のソケット本体及び該ソケット本体の底面に一体突設した
分岐部とからなり該ソケット本体の内端面から分岐部の端面にかけて略Ｌ字状貫通路を形
成した弾性体からなる一対のソケットとを有し、各ソケット本体の両側面に係止突起が一
体突設されると共に、該各係止突起に対向してランプリフレクタの両側板に係止孔が貫設
されており、各ソケット本体をランプリフレクタ内に差し込んで各係止突起をランプリフ
レクタの各係止孔に嵌入させることにより、直管状光源をランプリフレクタ内の所定位置
に位置決めするようにした照明装置において、前記分岐部が薄肉円筒状で弾性変位可能に
形成され、前記係止突起及び係止孔を省略し、ランプリフレクタの両側板の各端面が位置
決めポイントとされ、該各位置決めポイントに対向して各ソケット本体の両側面外端縁に
位置決め突条が一体突設されており、前記各ソケットの略Ｌ字状貫通路を各リード線に外
嵌させた状態で、該各リード線の端部を直管状光源の両端部に半田付けし、前記各ソケッ
トを各リード線に沿って滑らすことにより、その各ソケットを各リード線の端部から直管
状光源の端部にかけて被せ、各ソケット本体をランプリフレクタ内に差し込んで位置決め
突条を各位置決めポイントに当接させることにより、直管状光源をランプリフレクタ内の
所定位置に位置決めするようにしたことを特徴とする照明装置。
【請求項２】
底板及び該底板から直角に折り曲げた一対の側板を有しその底板の両端に切欠口を形成
した横断面略コ字状ランプリフレクタと、該ランプリフレクタ内に配置される直管状光源
と、該直管状光源に半田付けされる一対のリード線と、ランプリフレクタの両側板間の間
隔とほぼ同幅のソケット本体及び該ソケット本体の底面に一体突設した分岐部とからなり
該ソケット本体の内端面から分岐部の端面にかけて略Ｌ字状貫通路を形成した弾性体から
なる一対のソケットとを有し、該各ソケットを各リード線の端部から直管状光源の端部に
かけて被せるようにした照明装置において、前記分岐部が薄肉筒状で弾性変位可能に形成
され、前記ランプリフレクタの外周面適所を位置決めポイントとし、該位置決めポイント
に対向して各ソケット本体の外周縁適所に位置決め部が設けられており、前記各ソケット
の略Ｌ字状貫通路を各リード線に外嵌させた状態で、該各リード線の端部を直管状光源の
両端部に半田付けし、前記各ソケットを各リード線に沿って滑らすことにより、その各ソ
ケットを各リード線の端部から直管状光源の端部にかけて被せ、各ソケット本体をランプ
リフレクタ内に差し込んで位置決め部を各位置決めポイントに当接させることにより、直
管状光源をランプリフレクタ内の所定位置に位置決めするようにしたことを特徴とする照
明装置。
【請求項３】
前記位置決めポイントがランプリフレクタの両側板の各端面であると共に、位置決め部
が各ソケット本体の両側面外端縁に一体突設された位置決め突条からなり、その位置決め
突条を位置決めポイントであるランプリフレクタの両側板の各端面に当接させることによ
り、直管状光源をランプリフレクタ内の所定位置に位置決めするようにしたことを特徴と
する請求項２に記載の照明装置。
【発明の詳細な説明】
【技術分野】
【０００１】
本発明は、例えばレーザプリンタの表示部として使用される液晶モジュール内に組み込
まれる照明装置に関する。
【背景技術】
【０００２】
液晶モジュールの技術として図３及び図４に示すものがある。これは、ベゼル１内に液
晶セル２及び導光板３が配置され、該導光板３とそれに対向するベゼル１の縁板部１ａと
の間の空隙内に照明装置４が配置されており、該照明装置４により導光板３を介して液晶
セル２をバックから照らすようになっている。なお、５は偏光板、６はプリズムシート、
７は拡散シート、８は反射シート、９は液晶セル２に接続したフラットフレキシブルケー
ブル、１０は両リード線１４の端部に接続したプラグである。
【０００３】
従来、前記照明装置４の技術として特許文献１などに記載したものがあり、その一例を
図５に基づいて説明すると、これは、底板１１ａ及び該底板１１ａから直角に折り曲げた
一対の側板１１ｂを有しその底板１１ａの両端に切欠口１２を形成した横断面略コ字状金
属板製ランプリフレクタ１１と、該ランプリフレクタ１１内に配置される冷陰極管からな
る直管状光源１３と、該直管状光源１３に半田付けされる一対のリード線１４と、ランプ
リフレクタ１１の両側板１１ｂ間の間隔ｄとほぼ同幅ｈのソケット本体１５Ａ及び該ソケ
ット本体１５Ａの底面に一体突設した分岐部１５Ｂとからなり該ソケット本体１５Ａの内
端面から分岐部１５Ｂの端面にかけて略Ｌ字状貫通路１６を形成したゴムなど弾性体から
なる一対のソケット１５とを有し、各ソケット本体１５Ａの両側面に係止突起１７が一体
突設されると共に、該各係止突起１７に対向してランプリフレクタ１１の両側板１１ｂに
係止孔１８が貫設されている。
【０００４】
照明装置４の組立手順を説明すると、各リード線１４の端部から直管状光源１３の端部
にかけて被せた各ソケット１５のソケット本体１５Ａをランプリフレクタ１１内に差し込
んで各係止突起１７を各係止孔１８に嵌入させればよい。これによって、直管状光源１３
をランプリフレクタ１１内の所定位置に位置決めすることができる。
【特許文献１】特開２００２−２４５８３８号公報
【発明の開示】
【発明が解決しようとする課題】
【０００５】
上記従来の構成では、直管状光源１３をランプリフレクタ１１内の所定位置に位置決め
するために、該ランプリフレクタ１１の両側板１１ｂに孔明け加工を施して４つの係止孔
１８を貫設する必要があり、その孔明け加工に手間と時間とがかって、コストアップにな
る。
【０００６】
そこで、図６に示すように、係止突起１７及び係止孔１８を省略し、各ソケット１５の
分岐部１５Ｂを各切欠口１２と同形の矩形ブロック状に形成し、該各分岐部１５Ｂの内端
面１５ａを各切欠口１２の端面１２ａに当接させて、直管状光源１３をランプリフレクタ
１１内の所定位置に位置決めすることが考えられる。
【０００７】
上記構成によれば、図７（ａ）に示すように、各ソケット本体１５Ａの略Ｌ字状貫通路
１６を各リード線１４に外嵌させた状態で、図７（ｂ）に示すように、各リード線１４の
端部１４ａを直管状光源１３の両端部１３ａに嵌合させて半田付け２１し、図７（ｃ）に
示すように、各ソケット１５を各リード線１４に沿って滑らすことにより、その各ソケッ
ト１５を各リード線１４の端部１４ａから直管状光源１３の端部１３ａにかけて被せるよ
うになっており、この場合、分岐部１５Ｂが肉厚で弾性変形させ難い形状で柔軟性が無く
、リード線１４の略Ｌ字状貫通路１６内での折曲げ角度αがほぼ直角で固定され狭小であ
るため〔図７（ｂ）参照〕、各ソケット１５を各リード線１４に沿って滑らす際に過大な
摩擦抵抗が発生し、その過大な摩擦抵抗により各ソケット１５の取付作業に時間と手間と
がかかって面倒であり、作業員に過大ない負担をかけると共に、その取付作業中に半田付
け２１が損傷されるおそれもある。
【０００８】
本発明は、上記従来の欠点に鑑み、安価でソケットの取付作業を迅速容易に行うことが
できるようにした照明装置を提供することを目的としている。
【課題を解決するための手段】
【０００９】
上記目的を達成するため、請求項１に記載の発明は、液晶モジュールのベゼル内に配置
されて導光板を介して液晶セルをバックから照らすためのものであって、底板及び該底板
から直角に折り曲げた一対の側板を有しその底板の両端に切欠口を形成した横断面略コ字
状ランプリフレクタと、該ランプリフレクタ内に配置される直管状光源と、該直管状光源
に半田付けされる一対のリード線と、ランプリフレクタの両側板間の間隔とほぼ同幅のソ
ケット本体及び該ソケット本体の底面に一体突設した分岐部とからなり該ソケット本体の
内端面から分岐部の端面にかけて略Ｌ字状貫通路を形成した弾性体からなる一対のソケッ
トとを有し、各ソケット本体の両側面に係止突起が一体突設されると共に、該各係止突起
に対向してランプリフレクタの両側板に係止孔が貫設されており、各ソケット本体をラン
プリフレクタ内に差し込んで各係止突起をランプリフレクタの各係止孔に嵌入させること
により、直管状光源をランプリフレクタ内の所定位置に位置決めするようにした照明装置
において、前記分岐部が薄肉円筒状で弾性変位可能に形成され、前記係止突起及び係止孔
を省略し、ランプリフレクタの両側板の各端面が位置決めポイントとされ、該各位置決め
ポイントに対向して各ソケット本体の両側面外端縁に位置決め突条が一体突設されており
、前記各ソケットの略Ｌ字状貫通路を各リード線に外嵌させた状態で、該各リード線の端
部を直管状光源の両端部に半田付けし、前記各ソケットを各リード線に沿って滑らすこと
により、その各ソケットを各リード線の端部から直管状光源の端部にかけて被せ、各ソケ
ット本体をランプリフレクタ内に差し込んで位置決め突条を各位置決めポイントに当接さ
せることにより、直管状光源をランプリフレクタ内の所定位置に位置決めするようにした
ことを特徴としている。
【００１０】
請求項２に記載の発明は、底板及び該底板から直角に折り曲げた一対の側板を有しその
底板の両端に切欠口を形成した横断面略コ字状ランプリフレクタと、該ランプリフレクタ
内に配置される直管状光源と、該直管状光源に半田付けされる一対のリード線と、ランプ
リフレクタの両側板間の間隔とほぼ同幅のソケット本体及び該ソケット本体の底面に一体
突設した分岐部とからなり該ソケット本体の内端面から分岐部の端面にかけて略Ｌ字状貫
通路を形成した弾性体からなる一対のソケットとを有し、該各ソケットを各リード線の端
部から直管状光源の端部にかけて被せるようにした照明装置において、前記分岐部が薄肉
筒状で弾性変位可能に形成され、前記ランプリフレクタの外周面適所を位置決めポイント
とし、該位置決めポイントに対向して各ソケット本体の外周縁適所に位置決め部が設けら
れており、前記各ソケットの略Ｌ字状貫通路を各リード線に外嵌させた状態で、該各リー
ド線の端部を直管状光源の両端部に半田付けし、前記各ソケットを各リード線に沿って滑
らすことにより、その各ソケットを各リード線の端部から直管状光源の端部にかけて被せ
、各ソケット本体をランプリフレクタ内に差し込んで位置決め部を各位置決めポイントに
当接させることにより、直管状光源をランプリフレクタ内の所定位置に位置決めするよう
にしたことを特徴としている。
【００１１】
請求項３に記載の発明は、請求項２に記載の発明において、前記位置決めポイントがラ
ンプリフレクタの両側板の各端面であると共に、位置決め部が各ソケット本体の両側面外
端縁に一体突設された位置決め突条からなり、その位置決め突条を位置決めポイントであ
るランプリフレクタの両側板の各端面に当接させることにより、直管状光源をランプリフ
レクタ内の所定位置に位置決めするようにしたことを特徴としている。
【発明の効果】
【００１２】
請求項１に記載の発明は、本発明の実施の一形態（図１及び図２参照）に対応するもの
であって、これによれば、各ソケットの分岐部が薄肉円筒状で弾性変位可能に形成されて
おり、該各ソケットを各リード線に沿って滑らす際に、該各リード線により分岐部が弾性
変位され、その各リード線の略Ｌ字状貫通路内での折曲げ角度が広げられるため、各ソケ
ットを各リード線に沿って滑らす際に発生する摩擦抵抗が小さくなり、その各ソケットを
各リード線に沿って円滑に滑らせて該各リード線の端部から直管状光源の端部にかけて迅
速容易に被せることができると共に、その取付作業中に半田付けを損傷させるおそれもな
く、作業員に過大な負担をかけることもない。
【００１３】
各ソケット本体をランプリフレクタ内に差し込んで位置決め突条によりランプリフレク
タを両側から挟み付けるだけで、その両ソケット本体間の直管状光源をランプリフレクタ
内の所定位置に適正に位置決めすることができ、この場合、従来のようにランプリフレク
タに孔明け加工を施して係止孔をランプリフレクタに貫設することが不要であるから、そ
の不要となった孔明け加工の加工費分だけコストダウンを図ることができる。
【００１４】
特に、この照明装置を液晶モジュールのベゼル内に組み込むことより、安価で組立作業
が容易で液晶セルをバックからほぼ均等に照らすことができるようにした液晶モジュール
を提供することができる。
【００１５】
請求項２に記載の発明は、基本形態を示すものであって、これによれば、各ソケットの
分岐部が薄肉筒状で弾性変位可能に形成されており、該各ソケットを各リード線に沿って
滑らす際に、該各リード線により分岐部が弾性変位され、その各リード線の略Ｌ字状貫通
路内での折曲げ角度が広げられるため、各ソケットを各リード線に沿って滑らす際に発生
する摩擦抵抗が小さくなり、その各ソケットを各リード線に沿って円滑に滑らせて該各リ
ード線の端部から直管状光源の端部にかけて迅速容易に被せることができると共に、その
取付作業中に半田付けを損傷させるおそれもなく、作業員に過大な負担をかけることもな
い。
【００１６】
各ソケット本体をランプリフレクタ内に差し込んで位置決め部をランプリフレクタの位
置決めポイントに当接させるだけで、その両ソケット本体間の直管状光源をランプリフレ
クタ内の所定位置に適正に位置決めすることができ、この場合、従来のようにランプリフ
レクタに孔明け加工を施して係止孔をランプリフレクタに貫設することが不要であるから
、その不要となった孔明け加工の加工費分だけコストダウンを図ることができる。
【００１７】
請求項３に記載の発明によれば、各ソケット本体をランプリフレクタ内に差し込んで位
置決め突条によりランプリフレクタを両側から挟み付けるだけで、その両ソケット本体間
の直管状光源をランプリフレクタ内の所定位置に適正に位置決めすることができる。
【発明を実施するための最良の形態】
【００１８】
図１及び図２は本発明の実施の一形態である照明装置４を示し、これは、液晶モジュー
ル（図３及び図４参照）内に組み込まれるものであって、各ソケット１５の分岐部１５Ｂ
が薄肉円筒状で弾性変位可能に形成され、ランプリフレクタ１１の両側板１１ｂの各端面
が位置決めポイントＰとされ、該各位置決めポイントＰに対向して各ソケット本体１５Ａ
の両側面外端縁に位置決め突条（位置決め部）２３が一体突設されている。上記以外の構
成で図３〜図７に示す構成と同じ部分に同一符号を付してその説明を省略する。
【００１９】
ソケット１５の取付手順を説明すると、図２（ａ）に示すように、各ソケット本体１５
Ａの略Ｌ字状貫通路１６を各リード線１４に外嵌させた状態で、図２（ｂ）に示すように
、各リード線１４の端部１４ａを直管状光源１３の両端部１３ａに嵌合させて半田付け２
１し、図２（ｃ）に示すように、各ソケット１５を各リード線１４に沿って滑らすことに
より、その各ソケット１５を各リード線１４の端部１４ａから直管状光源１３の端部１３
ａにかけて被せ、各ソケット本体１５Ａをランプリフレクタ１１内に差し込んで、各位置
決め突条２３を各位置決めポイントＰに当接させる〔図１（ａ）参照〕。
【００２０】
上記構成によれば、各ソケット１５の分岐部１５Ｂが薄肉円筒状で弾性変位可能に形成
されており、該各ソケット１５を各リード線１４に沿って滑らす際に、該各リード線１４
により分岐部１５Ｂが弾性変位され、その各リード線１４の略Ｌ字状貫通路１６内での折
曲げ角度α（この実施の形態では１１０°）が広げられるため、各ソケット１５を各リー
ド線１４に沿って滑らす際に発生する摩擦抵抗が小さくなり、その各ソケット１５を各リ
ード線１４に沿って円滑に滑らせて該各リード線１４の端部１４ａから直管状光源１３の
端部１３ａにかけて迅速容易に被せることができると共に、その取付作業中に半田付け２
１を損傷させるおそれもなく、作業員に過大な負担をかけることもない。
【００２１】
各ソケット本体１５Ａをランプリフレクタ１１内に差し込んで位置決め突条２３により
ランプリフレクタ１１を両側から挟み付けるだけで、その両ソケット本体１５Ａ間の直管
状光源１３をランプリフレクタ１１内の所定位置に適正に位置決めすることができ、この
場合、従来のようにランプリフレクタ１１に孔明け加工を施して係止孔１８をランプリフ
レクタ１１に貫設することが不要であるから、その不要となった孔明け加工の加工費分だ
けコストダウンを図ることができる。
【００２２】
特に、この照明装置４を液晶モジュールのベゼル１内に組み込むことより（図３及び図
４参照）、安価で組立作業が容易で液晶セル２をバックからほぼ均等に照らすことができ
るようにした液晶モジュールを提供することができる。
【産業上の利用可能性】
【００２３】
上記の実施の形態では、液晶モジュール内に配置される照明装置４を例にあげて説明し
たが、これに限定されるわけではなく、液晶モジュール以外の各種電子機器の表示部を照
らすためにも適用することができる。
【図面の簡単な説明】
【００２４】
【図１】（ａ）は本発明の実施の一形態である照明装置を示す斜視図、（ｂ）は同分解斜視図、（ｃ）は同水平断面図、（ｄ）は同縦断面図である。
【図２】（ａ）は同ソケットの取付手順の前段を示す概略説明図、（ｂ）は同手順の中段を示す概略説明図、（ｃ）は同手順の後段を示す概略説明図である。
【図３】液晶モジュールを示す斜視図である。
【図４】同液晶モジュールの拡大横断面図である。
【図５】（ａ）は従来の一例である照明装置を示す斜視図、（ｂ）は同分解斜視図、（ｃ）は同水平断面図、（ｄ）は同縦断面図である。
【図６】（ａ）は従来の他の例である照明装置を示す斜視図、（ｂ）は同分解斜視図、（ｃ）は同水平断面図、（ｄ）は同縦断面図である。
【図７】（ａ）は同ソケットの取付手順の前段を示す概略説明図、（ｂ）は同手順の中段を示す概略説明図、（ｃ）は同手順の後段を示す概略説明図である。
【符号の説明】
【００２５】
１        ベゼル
２        液晶セル
３        導光板
４        照明装置
１１      ランプリフレクタ
１１ａ    ランプリフレクタの底板
１１ｂ    ランプリフレクタの側板
１２      切欠口
１３      直管状光源
１４      リード線
１５      ソケット
１５Ａ    ソケット本体
１５Ｂ    分岐部
１６      略Ｌ字状貫通路
１７      係止突起
１８      係止孔
２１      半田付け
２３      位置決め突条（位置決め部）
Ｐ        位置決めポイント
【図１】
2006147435.tif 000003
【図２】
2006147435.tif 000004
【図３】
2006147435.tif 000005
【図４】
2006147435.tif 000006
【図５】
2006147435.tif 000007
【図６】
2006147435.tif 000008
【図７】
2006147435.tif 000009